(57)【要約】【課題】ワイヤソーを用いて切断する既設電柱の周囲に障害物等が存在する場合や既設電柱を地盤下で切断する場合に、既設電柱を所定位置で切断することが可能な電柱切断装置及び方法を提供する。【解決手段】既設電柱の近傍に並設した左右一対のガイド部材を既設電柱の側部に沿って伸長可能とし、既設電柱の外周に巻き掛けた無端のワイヤソーを左右のガイド部材の下端に設けたプーリに掛けて各ガイド部材の上方に方向転換すると共に、各ガイド部材の上端に設けたプーリに掛けて各ガイド部材間に設けられた駆動モータで回転する駆動プーリに掛け回し、駆動プーリを回転駆動することによってワイヤソーを走行させると共に、ガイド部材を伸長させることによってワイヤソーを既設電柱に沿った方向に引っ張ることにより、既設電柱に掛けたワイヤソーで既設電柱を引き切る。【選択図】図４
2016043532.tif 000002
【特許請求の範囲】
【請求項１】
既設電柱の近傍に並設した左右一対のガイド部材を既設電柱の側部に沿って伸長可能とし、既設電柱の外周に巻き掛けた無端のワイヤソーを左右のガイド部材の下端に設けたプーリに掛けて各ガイド部材の上方に方向転換すると共に、各ガイド部材の上端に設けたプーリに掛けて各ガイド部材間に設けられた駆動モータで回転する駆動プーリに掛け回し、駆動プーリを回転駆動することによってワイヤソーを走行させると共に、ガイド部材を伸長させることによってワイヤソーを既設電柱に沿った方向に引っ張ることにより、既設電柱に掛けたワイヤソーで既設電柱を引き切るようにしたことを特徴とする電柱切断装置。
【請求項２】
既設電柱の外周に巻き掛けたワイヤソーを既設電柱の近傍に設けた方向転換用のプーリを介することによって既設電柱の側部に沿った方向へ牽引可能にし、ワイヤソーを駆動モータで走行させると共に、ワイヤソーを既設電柱の側部に沿って牽引することにより、既設電柱に巻き掛けたワイヤソーで既設電柱を引き切るようにしたことを特徴とする電柱切断方法。
【請求項３】
既設電柱の周囲の地盤を掘削した掘削穴内にて、電柱の外周にワイヤソーを巻き掛けることによって、地盤面よりも下方の既設電柱の部位を切断するようにしたことを特徴とする請求項２記載の電柱切断方法。
【発明の詳細な説明】
【技術分野】
【０００１】
本発明は、現場に立設されている既設の電柱を所定の高さで切断するようにした電柱切断装置及び電柱切断方法に関する。
【背景技術】
【０００２】
電柱の立設現場において、既設の電柱を撤去する作業は、撤去後の電柱を運搬車両に積載して搬送するため、その電柱を所定の長さに切断する必要がある。そのための施工法としては、従来から円盤ブレード式カッターや油圧クラッシャー等を用いた工法が採用されている。
【０００３】
ところが、円盤ブレード式カッターを用いた場合、切断作業時に、電柱の周囲に切断装置の可動スペースが必要となるほか、ブレードの刃部が電柱の切り口に噛み込まれて破損するおそれがある。また、ブレードの過熱を防止するために冷却水が必要となり、この冷却水がコンクリートの切削粉と混ざり合って周辺に飛散するため、飛散防止のためのビニールシート等を設ける必要がある。
【０００４】
また、油圧クラッシャーを用いた場合、油圧式の爪で電柱を挟み込んでコンクリート部分を破砕する際、コンクリート片が周囲に飛散する危険性がある。さらに、コンクリート部分を破砕した後に露出する鉄筋をアセチレンガス等で切断するため、現場に火の粉が発生するという危険性もあった。
【０００５】
なお、従来、既設電柱を地盤面の下方で切断せずに地際で切断し、破砕工具等を用いて電柱を必要深さまで砕き落とす方法もあるが、このような作業では、作業時間及び労力共に無駄が生じるという問題がある。また、既設電柱を地盤面下で切断するには、既設電柱の周囲の土壌を広い面積で開削する必要があり、その作業に時間と労力が必要となるだけでなく、電柱の周囲に何らかの障害物が存在する場合、電柱の切断作業に必要な開削面積を確保することが不可能となる。
【０００６】
上記のような事情に鑑みて、近年では、特許文献１のように、ダイヤモンドワイヤソー等を電柱の周囲に巻き掛けて走行させることにより、電柱の途中を切断する方法が開発されている。ところが、特許文献１のように、電柱から離れた箇所に駆動装置を設置してワイヤソーを走行させる構造では、電柱の周囲に何らかの障害物が存在する場合、装置の設置が不可能となる。
【先行技術文献】
【特許文献】
【０００７】
【特許文献１】特開平４−１８３５７１
【発明の概要】
【発明が解決しようとする課題】
【０００８】
本発明は、上記のような事情に鑑みてなされたものであり、ワーヤソーを用いて切断する既設電柱の周囲に障害物等が存在する場合や既設電柱を地盤下の位置で切断する場合であっても、既設電柱の途中を所定位置で切断することが可能な電柱切断装置及び電柱切断方法を提供することを目的とする。
【課題を解決するための手段】
【０００９】
上記の目的を達成するために、本発明の請求項１の電柱切断装置は、既設電柱の近傍に並設した左右一対のガイド部材を既設電柱の側部に沿って伸長可能とし、既設電柱の外周に巻き掛けた無端のワイヤソーを左右のガイド部材の下端に設けたプーリに掛けて各ガイド部材の上方に方向転換すると共に、各ガイド部材の上端に設けたプーリに掛けて各ガイド部材間に設けられた駆動モータで回転する駆動プーリに掛け回し、駆動プーリを回転駆動することによってワイヤソーを走行させると共に、ガイド部材を伸長させることによってワイヤソーを既設電柱に沿った方向に引っ張ることにより、既設電柱に掛けたワイヤソーで既設電柱を引き切るようにしたことを特徴とする。
【００１０】
また、本発明の請求項２の電柱切断方法は、既設電柱の外周に巻き掛けたワイヤソーを既設電柱の近傍に設けた方向転換用のプーリを介することによって既設電柱の側部に沿った方向へ牽引可能にし、ワイヤソーを駆動モータで走行させると共に、ワイヤソーを既設電柱の側部に沿って牽引することにより、既設電柱に巻き掛けたワイヤソーで既設電柱を引き切るようにしたことを特徴とする。
【００１１】
さらに、本発明の請求項３記載の電柱切断方法は、請求項２において、既設電柱の周囲の地盤を掘削した掘削穴内にて、電柱の外周にワイヤソーを巻き掛けることによって、地盤面よりも下方の既設電柱の部位を切断するようにしたことを特徴とする。
【発明の効果】
【００１２】
本発明は、既設電柱の外周に巻き掛けたワイヤソーを既設電柱の近傍に設けた方向転換用のプーリを介することによって既設電柱の側部に沿った方向へ牽引可能にしている。このため、ワイヤソーを駆動モータで走行させることによって既設電柱を切断する際、ワイヤソーを既設電柱の側部に沿って牽引することにより、既設電柱に巻き掛けたワイヤソーは立設した既設電柱を水平断面方向に引き切るように走行して既設電柱の途中を切断することが可能となる。
【００１３】
従って、本発明によれば、ワーヤソーを用いて切断する既設電柱の周囲に障害物等が存在する場合であっても、本発明の電柱切断装置を既設電柱の側部に取り付けるスペースさえあれば、それらの障害物に妨げられずに既設電柱を切断することが可能となる。
【００１４】
さらに、本発明によれば、既設電柱の周囲の地盤を掘削した掘削穴内にて、地盤面よりも下方の既設電柱の部位を切断することにより、既設電柱の周囲を開削する範囲が小面積ですむものとなり、作業時間の短縮化及び労力の削減を図ることが可能となる。
【図面の簡単な説明】
【００１５】
【図１】本発明の実施例における電柱切断装置の分割状態を示す図であり、（ａ）は正面図、(ｂ)は側面図である。
【図２】本発明の実施例における電柱切断装置の下段部を既設電柱の側部に固定した状態で、残りの中段部と上段部を接続する前の状態を示す側面図である。
【図３】本発明の実施例における電柱切断装置の下段部と中段部と上段部とを接続して一体的に構成した図であり、（ａ）は正面図（ただし、電柱の図は省略してある）、(ｂ)は側面図である。
【図４】本発明の実施例における電柱切断装置を既設電柱の側部に取り付け、ワイヤソーを電柱の周囲に巻き掛けた状態にして、ワイヤソーを既設電柱の側部に沿って上方向に牽引することにより、既設電柱に巻き掛けたワイヤソーで既設電柱を水平断面方向に切断するようにした図であり、（ａ）は正面図（ただし、電柱の図は省略してある）、(ｂ)は側面図である。
【図５】本発明の実施例における電柱切断装置を既設電柱の側部に取り付ける際、ワイヤソーを既設電柱の側部に沿って下方向に牽引するように取り付けることにより、電柱の側部の上方に障害物が存在する場合でも電柱を切断可能にした図であり、（ａ）は正面図（ただし、電柱の図は省略してある）、(ｂ)は側面図である。
【図６】本発明の実施例における電柱切断装置で既設電柱を切断する際、既設電柱の周囲の地盤を掘削した掘削穴内にて地盤面よりも下方の電柱の部位を切断する状況を示す側面図である。
【発明を実施するための形態】
【００１６】
本発明の実施形態について図面を参照しながら説明する。
【実施例１】
【００１７】
本実施例の電柱切断装置１は、装置の運搬を容易且つ簡便にできるように、分解可能に構成したものである。即ち、この電柱切断装置１は、図１（ａ）、（ｂ）に示すように、上段部２、中段部３、下段部４に分解可能であり、これらの各部を組み合わせることによって、図３（ａ）、（ｂ）に示すように一体化される。なお、図３（ｂ）において、電柱切断装置１の右側が既設電柱Ｄに取付られる電柱側となり、装置の左側が既設電柱Ｄとは反対の正面側となる。
【００１８】
この装置の各部について詳細に述べると、下段部４は、図１（ａ）、（ｂ）に示すように、横設した第１の角パイプ５の左右に離間して２本の丸径の下段パイプ６を上方に向けて固定すると共に、左右の下段パイプ６は互いの離間幅を保つように各上部が連結部材９で連結されている。また、第１の角パイプ５の左右の端部に下部ガイドプーリ７が回転可能に取り付けられ、夫々の下部ガイドプーリ７は、後述するように下段部４を既設電柱Ｄの側部に取り付けた際に、既設電柱Ｄの幅方向に広がる傾斜角を有して取り付けられると共に、下部ガイドプーリ７には後述するワイヤソー８を掛けて案内し得る周状のガイド溝７ａが形成されている。
【００１９】
また、第１の角パイプ５の左右の端部には電柱側に下部アーム材１０が固定され、これらの下部アーム材１０の電柱側には第２の角パイプ１１が横設状態で固定され、この第２の角パイプ１１の両端部の下部には水平ガイドプーリ１２が回転可能に水平状に取り付けられている。そして、これらの水平ガイドプーリ１２もまた、上記の下部ガイドプーリ７と同様にワイヤソー８を掛けて案内し得る周状のガイド溝１２ａが形成されている。
【００２０】
さらに、電柱切断装置１の下段部４の左右の下段パイプ６の途中には上部アーム材１３が取り付けられ、夫々の上部アーム材１３の電柱側には電柱締結部材１４が取り付けられている。この電柱締結部材１４は、既設電柱Ｄの側部の左右位置に沿って縦状に当接する当板１５が設けられ、左右の当板１５の上下部には既設電柱Ｄに締結するためのチェーン１６を取付ける取付穴１５ａが形成されている。
【００２１】
次に、電柱切断装置１の中段部３は、図１（ａ）、（ｂ）に示すように、上記の下段パイプ６の上端内部に挿入する丸径の下端部を有する丸径の中段パイプ１７が左右に離間して設けられている。
【００２２】
また、左右の中段パイプ１７よりも小径に形成された各下端部１７ａには固定金具１８のロッド部１９を挿着する穴部１７ｂが形成され、中段パイプ１７の下端部１７ａを下段パイプ６の上端内部に嵌合して固定金具１８のロッド部１９を下端部１７ａの穴部１７ｂに嵌め込むことによって、下段パイプ６と中段パイプ１７とが一体的に固定される。なお、各中段パイプ１７は下部が密閉され、後述するようにシリンダーとしての機能を果たすことになる。
【００２３】
また、この左右の中段パイプ１７はその間に設けられたモータ取付部２１によって連結され、モータ取付部２１には正面側にモータ２２が取り付けられ、電柱側に突出したモータ２２の回転軸２３には大径の駆動プーリ２４が取り付けられている。なお、この駆動プーリ２４もまた、その外周に、上記の下部ガイドプーリ７や水平ガイドプーリ１２のようにワイヤソー８を掛けて案内し得る周状のガイド溝２４ａが形成されている。
【００２４】
本実施例において、モータ２２としては油圧モータが用いられ、モータ２２にはホース接続口２６が設けられ、この接続口２６には外部に設けられた不図示の油圧制御装置に接続する油圧ホースが接続されることとなる。また、油圧制御装置は不図示の操作ボックスに接続され、この操作ボックスでモータ２２の駆動制御や後述する上段部２の昇降動作を操作することが可能とされている。
【００２５】
また、電柱切断装置１の上段部２は、上記のようにシリンダーとして機能する左右の中段パイプ１７の上端内部に挿入する左右のピストンロッド２５を備えた構成とされている。これらのピストンロッド２５の上端は各ピストンロッド２５の離間幅を保持する角パイプ２７に固定されると共に、シリンダーとして機能する中段パイプ１７内に油圧を送り込む送給パイプ２８が連結され、送給パイプ２８の中間位置には油圧ホースの接続口２９が設けられている。また、上段部２の角パイプ２７の両端には、上記と同様にワイヤソー８を案内する周状のガイド溝３０ａを有する上部ガイドプーリ３０が取り付けられている。
【００２６】
上記の構成において、上段部２の左右のピストンロッド２５を中段部３の左右の中段パイプ１７に挿入して、左右の中段パイプ１７に送給される油圧によって左右のピストンロッド２５が伸張する構造となり、このような構造によって、本発明の左右一対のガイド部材２０が構成されることとなる。
【００２７】
次に、上記のように構成された電柱切断装置１の上段部２と中段部３と下段部４を連結して一体的に接続する作業について説明する。図２に示すように、まず下段部４の電柱締結部材１４に設けられた左右の縦状の当板１５を切断すべき既設電柱Ｄの側部に当て、既設電柱Ｄの外周に巻回したチェーン１６の両端を左右の当板１５の取付穴１５ａに取り付け、締め付けることによって堅固に固定する。
【００２８】
次いで、図１（ａ）、（ｂ）を用いて説明したように、中段部３に設けられた中段パイプ１７の下端部１７ａを下段部４に設けられた下段パイプ６の上端内部に嵌合して固定金具１８で固定した後、中段部３の中段パイプ１７に上段部２のピストンロッド２５を嵌め込むことによって、上段部２と中段部３と下段部４とを一体的に構成する。
【００２９】
さらに、無端輪状のワイヤソー８を既設電柱Ｄの上端部から挿入して既設電柱Ｄの下部まで通し、図３（ａ）、（ｂ）に示すように、ワイヤソー８を中段部３の駆動プーリ２４と上段部２の上段ガイドプーリ３０と下段部４の下段ガイドプーリ７と水平ガイドプーリ１２に掛けた状態にする。また、上記のように、油圧モータ２２のホース接続口や油圧シリンダー２５の接続口にホース（不図示）を接続する。
【００３０】
なお、本実施例において、ワイヤソー８は無端輪状のワイヤー芯材の外周に所定間隔でビーズ状のダイヤモンド層を形成したものを使用するとよい。
【００３１】
次に、上記のようにセットされたワイヤソー８を用いて既設電柱Ｄを切断する方法について説明する。なお、既設電柱Ｄの切断作業に先立ち、切断すべき既設電柱Ｄの上端をクレーン車で吊した状態にすることにより、切断後の上部の既設電柱Ｄが倒れないように安全対策を施しておく必要がある。
【００３２】
このような切断準備が終了した時点で、操作ボックスを操作して油圧制御装置を稼働し、油圧を中段パイプ１７内に送ると、図３(ｂ)に示すように、上段部２が上方へ伸張してワイヤソー８を張った状態で既設電柱Ｄの外周に巻き掛けた状態となる。この状態で駆動モータ２２を駆動し、上段部２を上方へ伸張すると、図４(ｂ)に示すように、既設電柱Ｄの側部に沿ってワイヤソー８が上方へ牽引されると共に、下段ガイドプーリ７によってワイヤソー８の牽引方向が転換され、既設電柱Ｄに巻き掛けた部位のワイヤソー８が既設電柱Ｄを水平断面方向に切り込むことによって切断部Ｃを広げ、最終切断に至ることとなる。
【００３３】
なお、図４(ｂ)に示す電柱切断装置１は、ガイド部材１４が上方へ向けて取り付けられているため、既設電柱Ｄを切断するには、上段部２を上方へ移動させることになる。この場合、既設電柱Ｄの側部の上方に何らかの障害物が存在すると、上段部２を上方へ移動することが不可能となる。しかしながら、図５に示すように、既設電柱Ｄの電柱切断装置１の上下方向を逆にして既設電柱Ｄに取り付けることによって、上段部２は下方へ伸張するように取り付けられるため、既設電柱Ｄの側部の上方に障害物が存在する場合でも、ワイヤソー８の切り込み動作の支障とはならずに既設電柱Ｄの切断が可能となる。
【００３４】
さらに、本実施例では、図６に示すように、既設電柱Ｄの周囲の地盤Ｇを掘削した掘削穴Ｈ内にて、既設電柱Ｄの地盤面ＧＬよりも下方の部位に電柱切断装置１のワイヤソー８を巻き掛けるように電柱切断装置１を固定することによって、地盤面ＧＬの下方の既設電柱Ｄの部位を切断することが可能となる。これによって、既設電柱Ｄの周囲の土壌を開削する範囲が小面積ですむため、開削作業に要する時間と労力を削減することが可能となる。また、電柱Ｄの周囲に何らかの障害物が存在する場合でも、電柱Ｄの側部に取り付けた電柱切断装置１が地盤面ＧＬの下方に降下するだけの小面積の範囲を開削するだけで、地盤面ＧＬよりも下方部位の電柱を切断することが可能となる。
【産業上の利用可能性】
【００３５】
本発明の電柱切断装置及び電柱切断方法は、ワーヤソーを用いて切断する既設電柱の周囲に障害物等が存在する場合や既設電柱を地盤下の位置で切断する場合であっても、既設電柱の途中を所定位置で切断することができ、さらにコンクリート電柱等の高配筋コンクリート中空構造物を切断する場合であっても、切断面内でワイヤソーの折れ曲がりを防止することによってワイヤソーが損傷しないようにした電柱切断装置及び電柱切断方法として利用可能である。
【符号の説明】
【００３６】
１  電柱切断装置
２  上段部
３  中段部
４  下段部
５  第１の角パイプ
６  下段パイプ
７  下部ガイドプーリ
７ａ  ガイド溝
８  ワイヤソー
９  連結部材
１０  下部アーム材
１１  第２の角パイプ
１２  水平ガイドプーリ
１２ａ  ガイド溝
１３  上部アーム材
１４  電柱締結部材
１５  当板
１５ａ  取付穴
１６  チェーン
１７  中段パイプ
１７ａ  下端部
１７ｂ  穴部
１８  固定金具
１９  ロッド部
２０  ガイド部材
２１  モータ取付部
２２  モータ
２３  回転軸
２４  駆動プーリ
２５  ピストンロッド
２６  ホース接続口
２７  角パイプ
２８  送給パイプ
２９  油圧ホースの接続口
３０  上部ガイドプーリ
３０ａ  ガイド溝
Ｄ  既設電柱
Ｇ  地盤
ＧＬ  地盤面
Ｈ  掘削穴
【図１】
2016043532.tif 000003
【図２】
2016043532.tif 000004
【図３】
2016043532.tif 000005
【図４】
2016043532.tif 000006
【図５】
2016043532.tif 000007
【図６】
2016043532.tif 000008